(57)【要約】【課題】エレベータのかご室のかご床板に貼り付けられていた既設の床タイルを、かご室内において新設の床タイルに容易に貼り換えることができる床タイル取付構造を提供する。【解決手段】本発明による床タイル取付構造４２は、かご床板２上面に貼り付けられた軟質板９と、軟質板９の一端部を上下方向に挟み込むように取り付けられ、上側挟み板２０と下側挟み板２１とを含む一対の挟み板１０とを備えている。また、一対の挟み板１０の上側挟み板２０上面に、取っ手１２が着脱自在に設けられている。さらに、軟質板９上面に樹脂製の床タイル２２が貼り付けられている。【選択図】図１
2009040578.tif 000002
【特許請求の範囲】
【請求項１】
エレベータのかご室のかご床板に取り付けられる床タイル取付構造において、
かご床板上面に貼り付けられた軟質板と、
軟質板の一端部を上下方向に挟み込むように取り付けられ、上側挟み板と下側挟み板とを含む一対の挟み板と、
一対の挟み板の上側挟み板の上面に、着脱自在に設けられた取っ手と、
軟質板上面に貼り付けられる樹脂製の床タイルと、を備え、
かご床板から軟質板および床タイルを一体として剥がすことが可能となることを特徴とする床タイル取付構造。
【請求項２】
取っ手は、一対の挟み板の上側挟み板の内部に、突出自在に収納されていることを特徴とする請求項１に記載の床タイル取付構造。
【請求項３】
かご床板と軟質板との間に接着剤が介在され、軟質板に発熱部が設けられ、軟質板を加熱して接着剤を軟化させ、かご床板から軟質板を剥がすことを容易にすることを特徴とする請求項１または２に記載の床タイル取付構造。
【請求項４】
かご床板と軟質板との間に接着剤が介在され、一対の挟み板の上側挟み板に、かご床板から軟質板を剥がすことを容易にするために、かご床板と軟質板との間に剥離剤を注入するための注入穴が設けられていることを特徴とする請求項１乃至３のいずれかに記載の床タイル取付構造。
【請求項５】
一対の挟み板は、軟質板の他端部にも取り付けられていることを特徴とする請求項１乃至４のいずれかに記載の床タイル取付構造。
【発明の詳細な説明】
【技術分野】
【０００１】
本発明は、エレベータのかご室のかご床板に床タイルを取り付ける床タイル取付構造に関する。
【背景技術】
【０００２】
従来より、図８に示すように、かご床３１を有するエレベータのかご室３０が知られている。エレベータのかご室３０のかご床３１は、凹形状を有する鉄鋼部材からなり互いに組み立てられた複数のかご床枠１と、かご床枠１の上面に溶接されたかご床板２と、かご床板２の上面に接着剤４を用いて直接に接着された、例えばプラスチックからなる複数の床タイル３とを備えている。また、かご床板２は、その外周縁側に設けられた複数の幅木５により保持されており、幅木５はネジ６により固定されている。さらに、幅木５の上面に、ネジ８を用いて複数の側板７が取り付けられ、側板７間はネジ（図示しない）を用いて固定されている。
【０００３】
このようなかご室３０のかご床３１において、かご床板２上面に直接に接着された床タイル３は、使用年数が経つにつれて劣化し、ひび、または割れなどが生じることがある。さらに、床タイル３上面に、エレベータ利用者が乗り、荷物が置かれるため、床タイル３は摩耗し、床タイル３に汚れが付着する。このため、床タイル３は必要に応じて貼り換える必要がある。
【０００４】
この場合、まず、作業者は、既設の床タイル３をかご床板２上面から剥がし、その後、かご床板２上面に付着している接着剤４を除去する。また、かご床板２上面から接着剤４を除去するために専用工具等を用いた場合は、かご床板２上面を傷付けることがあり、この場合には、かご床板２上面を補修する。
【０００５】
次に、かご床板２上面に接着剤４を新たに塗布する。その後、接着剤４が塗布されたかご床板２上面に、新設の床タイル３を貼り付けた後、接着剤４を乾燥させる。このようにして、既設の床タイル３を新設の床タイル３に貼り換える作業が完了する。
【０００６】
また、かご床板上面に、かご室外側から行う締結手段により床タイル取付台を固定し、床タイル取付台上面に、接着剤を介在させて床タイルを貼り付けた構造が開示されている（例えば、特許文献１参照）。このような構造においては、既設の床タイルを貼り換える場合、かご床板上面から、既設の床タイルが貼り付けられた既設の床タイル取付台を取り外し、かご床板上面に、予め新設の床タイルが接着剤により貼り付けられた新設の床タイル取付台を取り付けている。
【特許文献１】特開平８−１９８５４４号公報
【発明の開示】
【発明が解決しようとする課題】
【０００７】
ところで、図８において、かご床板２上面に貼り付けられた床タイル３を貼り換える間、エレベータのかご室３０にエレベータ利用者が乗ることができないため、エレベータの運転を停止させている。また、床タイル３はかご床板２上面に接着剤４により直接貼り付けられているため、かご床板２上面から床タイル３を剥がすことが容易でなく、床タイル３の剥がし作業に多くの時間を費やす場合がある。この場合は、エレベータの運転を停止する時間が長くなってしまう。
【０００８】
また、かご床板２上面から、かご床板２上面に付着していた接着剤４を除去する際、かご床板２上面を傷付けることがあり、この場合は、かご床板２上面を補修するため、床タイル３を貼り換える作業に多くの時間がかかる。また、かご床板２上面を、エレベータ点検作業者が補修をすることは難しいため、補修専門の作業者にかご床板２上面を補修させる必要がある。このため、床タイル３を貼り換える作業に、さらに多くの時間がかかり、かつ補修専門の作業者に補修させるため、多額の費用がかかるという問題もあった。
【０００９】
さらに、床タイル３を貼り換えるために、エレベータのかご室３０の外側から作業を行う場合、作業者がかご室３０の内側と外側とを行き来する必要があり、床タイル３を貼り換える作業により多くの時間がかかる。
【００１０】
本発明は、このような点を考慮してなされたものであり、エレベータのかご室のかご床板に貼り付けられていた既設の床タイルを、かご室内において新設の床タイルに容易に貼り換えることができる床タイル取付構造を提供することを目的とする。
【課題を解決するための手段】
【００１１】
本発明は、エレベータのかご室のかご床板に取り付けられる床タイル取付構造において、かご床板上面に貼り付けられた軟質板と、軟質板の一端部を上下方向に挟み込むように取り付けられ、上側挟み板と下側挟み板とを含む一対の挟み板と、一対の挟み板の上側挟み板の上面に、着脱自在に設けられた取っ手と、軟質板上面に貼り付けられる樹脂製の床タイルと、を備え、かご床板から軟質板および床タイルを一体として剥がすことが可能となることを特徴とする床タイル取付構造である。
【００１２】
本発明は、取っ手は、一対の挟み板の上側挟み板の内部に、突出自在に収納されていることを特徴とする床タイル取付構造である。
【００１３】
本発明は、かご床板と軟質板との間に接着剤が介在され、軟質板に発熱部が設けられ、軟質板を加熱して接着剤を軟化させ、かご床板から軟質板を剥がすことを容易にすることを特徴とする床タイル取付構造である。
【００１４】
本発明は、かご床板と軟質板との間に接着剤が介在され、一対の挟み板の上側挟み板に、かご床板から軟質板を剥がすことを容易にするために、かご床板と軟質板との間に剥離剤を注入するための注入穴が設けられていることを特徴とする床タイル取付構造である。
【００１５】
本発明は、一対の挟み板は、軟質板の他端部にも取り付けられていることを特徴とする床タイル取付構造である。
【発明の効果】
【００１６】
本発明によれば、一対の挟み板が一端部に取り付けられた軟質板が、エレベータのかご室のかご床板に貼り付けられ、軟質板上面に床タイルが貼り付けられる。既設の床タイルを新設の床タイルに貼り換える場合、軟質板の挟み板に取り付けられている取っ手を把持して上方へ引き上げる。このことにより、かご床板から既設の軟質板および既設の床タイルを一体として容易に剥がすことができる。このため、かご床板上面から既設の床タイルを新設の床タイルに貼り換える作業をかご室内において、容易に行うことができる。このことにより、既設の床タイルを新設の床タイルに貼り換える作業を短い時間で行うことができ、エレベータを運転再開することができる。さらに、既設の床タイルを新設の床タイルに貼り換える作業を低コストで行うことができる。
【発明を実施するための最良の形態】
【００１７】
第１の実施の形態
以下、図面を参照して、本発明の実施の形態について説明する。ここで、図１乃至図３は、本発明による床タイル取付構造の第１の実施の形態を示す図である。このうち図１は、床タイル取付構造を示す斜視図であり、図２は、エレベータのかご室のかご床の全体構成を示す斜視図であり、図３は、床タイル取付構造をかご床から取り外す状態を示す斜視図である。
【００１８】
本発明による床タイル取付構造４２は、エレベータのかご室４０のかご床板２に床タイル２２を取り付けることにより構成される。
【００１９】
まず、図２により、エレベータのかご室４０のかご床４１の全体構成について説明する。図２に示すように、エレベータのかご室４０のかご床４１は、凹形状を有する鉄鋼部材からなり互いに組み立てられた複数のかご床枠１と、かご床枠１の上面に溶接されたかご床板２とを備えている。また、かご床板２は、その外周縁側に設けられた複数の幅木５により保持されており、幅木５はネジ６（図示しない）により固定されている。また、かご床板２上面であって、幅木５の内側に、本発明による床タイル取付構造４２が設けられている。幅木５の上面に、ネジ８（図８参照）を用いて複数の側板７が取り付けられ、側板７間はネジ（図示しない）を用いて固定されている。さらに、側板７下面に、側板７下面に設けられた差込口７ａに差し込まれるようにカバー１５が取り付けられている。
【００２０】
本発明による床タイル取付構造４２は、図１および図２に示すように、かご床板２上面に両面テープ１４を介在させて貼り付けられた軟質板９と、軟質板９の一端部を上下方向に挟み込むように取り付けられ、上側挟み板２０と下側挟み板２１とを含む一対の挟み板１０とを備えている。また、図１に示すように、挟み板１０の下側挟み板２１上面に突起２１ａが設けられ、軟質板９下面に下側挟み板２１上面の突起２１ａが嵌合する溝９ａが設けられている。同様に、軟質板９上面に突起９ｂが設けられ、挟み板１０の上側挟み板２０下面に軟質板９上面の突起９ｂが嵌合する溝２０ａが設けられている。軟質板９の一端に挟み板１０を取り付ける場合、軟質板９下面の溝９ａに下側挟み板２１上面の突起２１ａが嵌合し、上側挟み板２０下面の溝２０ａに軟質板９上面の突起９ｂが嵌合する。さらに、上側挟み板２０の上面からネジ１１を締め付け、上側挟み板２０および下側挟み板２１を含む挟み板１０により、軟質板９の一端部を上下方向に挟みこむ。
【００２１】
また、挟み板１０の上側挟み板２０上面に、取っ手１２が上側挟み板２０に対して着脱自在に設けられている。取っ手１２は、取っ手１２に設けられたネジ穴１２ａを上側挟み板２０の上面に設けられたネジ穴２０ｂに対応させ、ネジ１３を取っ手１２のネジ穴１２ａおよび上側挟み板２０のネジ穴２０ｂ内に挿着することにより取り付けられている。
【００２２】
また、図２に示すように、軟質板９上面に樹脂製の床タイル２２が接着剤４を介して貼り付けられている。
【００２３】
ところで、図２に示すように、軟質板９の長手方向の長さは、エレベータのかご室４０の間口寸法に対応する長さとなっているが、軟質板９の長手方向の長さは、これに限らず任意に定めることができる。また、軟質板９の幅は、軟質板９上面に貼り付けられる床タイル２２の一辺の長さに対応する幅となっており、また、軟質板９の幅は、かご室４０の奥行き寸法に対して３等分された幅となっている。しかしながら、軟質板９の幅は、これに限らず任意に定めることができる。さらに、挟み板１０の上側挟み板２０および下側はさみ板２１の長さは、軟質板９の幅に対応する長さとなっている。
【００２４】
また、かご床板２と軟質板９との間に介在された両面テープ１４は、かご床板２上面に、一つの軟質板９に対して、軟質板９の長手方向に平行に３本貼り付けられている。しかしながら両面テープ１４の本数は、これに限らず任意に選択することができる。
【００２５】
また、軟質板９はゴム板からなっているが、布入りゴム板、グラスファイバー板、飛散防止フィルム等を用いても良い。また、挟み板１０の上側挟み板２０および下側挟み板２１は、鋼材等の不燃材からなっている。
【００２６】
次に、このような構成からなる本実施の形態の作用について説明する。
【００２７】
まず、図２に示すように、エレベータ点検作業者が、エレベータのかご室４０の側板７下面の差込口７ａに取り付けられていたカバー１５を取り外す。
【００２８】
次に、図１に示すように、エレベータ点検作業者が、挟み板１０の上側挟み板２０上面に、取っ手１２を取り付ける。この場合、取っ手１２に設けられたネジ穴１２ａを上側挟み板２０上面に設けられたネジ穴２０ｂに対応させ、ネジ１３を取っ手１２のネジ穴１２ａおよび上側挟み板２０のネジ穴２０ｂ内に挿入し、ネジ１３を締め付ける。
【００２９】
次に、図３に示すように、エレベータ点検作業者が、取っ手１２を把持し、既設の床タイル２２が貼り付けられた既設の軟質板９を、かご床板２上面における取っ手１２側から剥がすように、取っ手１２を上方へ引き上げる。このことにより、かご床板２から、既設の軟質板９および既設の床タイル２２が一体として剥がされる。
【００３０】
次に、既設の軟質板９が剥がされたかご床板２上面に残された両面テープ１４を、かご床板２上面から除去する。この場合、軟質板９は、かご床板２上面に接着剤を介在させることなく両面テープ１４を介在させて貼り付けられているため、軟質板９を接着剤を介在させて貼り付けた場合に比べて、かご床板２上面から両面テープ１４を比較的容易に除去することができる。この間、かご床板２の上面に、傷等が付いていないことを確認する。
【００３１】
次に、取っ手２１からネジ１３を緩めて取り外し、取っ手２１を上側挟み板２０上面から取り外す。
【００３２】
次に、ネジ１１を、上側挟み板２０上面から緩めて取り外し、上側挟み板２０を既設の軟質板９から取り外す。その後、挟み板１０の下側挟み板２１を既設の軟質板９から取り外す。
【００３３】
次に、既設の軟質板９に換えて、新設の軟質板９を準備する。
【００３４】
次に、新設の軟質板９に、既設の軟質板９から取り外した挟み板１０の下側挟み板２１を取り付ける。この場合、下側挟み板２１上面の突起２１ａを、新設の軟質板９下面の溝９ａに嵌合させる。
【００３５】
次に、挟み板１０の上側挟み板２０を、新設の軟質板９に取り付ける。この場合、新設の軟質板９上面の突起９ｂを、上側挟み板２０下面の溝２０ａに嵌合させる。
【００３６】
次に、挟み板１０の上側挟み板２０上面からネジ１１を挿入して締め付け、上側挟み板２０および下側挟み板２１を含む挟み板１０により、軟質板９の一端部を上下方向に挟みこむ。
【００３７】
次に、かご床板２上面に両面テープ１４を貼り付ける。
【００３８】
その後、かご床板２上面に、両面テープ１４を介在させて、上側挟み板２０および下側挟み板２１を含む挟み板１０が一端部に取り付けられた新設の軟質板９を貼り付ける。この場合、かご床板２上面に貼り付けられた両面テープ１４にしわが生じないように、新設軟質板９をかご床板２上面に、かご室４０の間口方向に慎重に貼り付ける。この場合、新設の軟質板９に取り付けられた挟み板１０の上側挟み板２０および下側挟み板２１の各々の端面を、かご床板２上面の外周縁側に取り付けられている幅木５の側面と当接させる。
【００３９】
次に、かご床板２上面に設けられた新設の軟質板９上面に接着剤４を塗布する。次に、新設の軟質板９上面に、接着剤４を介在させて新設の床タイル２２を貼り付け、その後、接着剤４を乾燥させる。
【００４０】
次に、エレベータのかご室４０の側板７下面に設けられた差込口７ａに、カバー１５を差し込む。
【００４１】
このように、本実施の形態によれば、一対の挟み板１０が一端部に取り付けられた軟質板９を、エレベータのかご室４０のかご床板２に両面テープ１４を介在させて貼り付け、軟質板９上面に接着剤４を介在させて床タイル２２を貼り付けることができる。既設の床タイル２２を新設の床タイル２２に貼り換える場合、エレベータ点検作業者が、軟質板９の挟み板１０に取り付けられている取っ手１２を把持して上方へ引き上げる。このことにより、かご床板２から既設の軟質板９および既設の床タイル２２を一体として容易に剥がすことができる。また、既設の軟質板９が剥がされたかご床板２上面に付着している両面テープ１４を容易に剥がすことができるため、両面テープ１４を剥離するためにかご床板２上面を引っ掻いて傷をつけることがなく、このため、かご床板２上面を補修する必要がない。このため、かご室４０内において、一般のエレベータ点検作業者でもかご床板２上の既設の床タイル２２を新設の床タイル２２に貼り換えることができる。このことにより、短時間で、既設の床タイル２２を新設の床タイル２２に貼り換えることができ、エレベータを運転再開することができる。さらに、既設の床タイル２２を新設の床タイル２２に貼り換える作業を低コストで行うことができる。
【００４２】
第２の実施の形態
次に、図４により、本発明による床タイル取付構造の第２の実施の形態について説明する。ここで、図４は、床タイル取付構造を示す図である。
【００４３】
図４に示す第２の実施の形態における床タイル取付構造４３において、取っ手２２が、一対の挟み板１０の上側挟み板２０の内部に、突出自在に収納されている点が異なるのみであり、他の構成は、図１乃至図３に示す第１の実施の形態と略同一である。なお、図４において、図１乃至図３に示す第１の実施の形態と同一部分には同一符号を付して詳細な説明は省略する。
【００４４】
本実施の形態によれば、既設の床タイル２２を新設の床タイル２２に貼り換える場合、図４に示すように、まず、エレベータ点検作業者が、挟み板１０の上側挟み板２０内部に収納されている取っ手２２を突出させる。次に、エレベータ点検作業者が、取っ手２２を把持して上方へ引き上げる。このことにより、かご床板２から既設の軟質板９および既設の床タイル２２を一体として容易に剥がすことができる。このため、既設の床タイル２２を新設の床タイル２２に容易に貼り換えることができる。
【００４５】
第３の実施の形態
次に、図５により、本発明による床タイル取付構造の第３の実施の形態について説明する。ここで、図５は、床タイル取付構造を示す図である。
【００４６】
図５に示す第３の実施の形態における床タイル取付構造４４において、軟質板９に発熱部１６が設けられている点が異なるのみであり、他の構成は、図１乃至図３に示す第１の実施の形態と略同一である。なお、図５において、図１乃至図３に示す第１の実施の形態と同一部分には同一符号を付して詳細な説明は省略する。
【００４７】
図５に示すように、挟み板１０の上側挟み板２０上面に外部操作装置１７が設けられ、外部操作装置１７は発熱部１６に連結されている。なお、発熱部１６は、かご床板２と軟質板９との間に介在された両面テープ１４の貼り付け箇所に対応する位置に設けられている。
【００４８】
本実施の形態によれば、既設の床タイル２２を新設の床タイル２２に貼り換える場合、図５に示すように、エレベータ点検作業者が外部操作装置１７を操作して、軟質板９に設けられた発熱部１６を加熱させる。この間、かご床板２と既設の軟質板９との間に介在された両面テープ１４が温められ、両面テープ１４が軟化する。このことにより、かご床板２から既設の軟質板９および既設の床タイル２２を一体としてより一層容易に剥がすことができる。また、既設の軟質板９が剥がされたかご床板２上面に付着している両面テープ１４を、より一層容易に剥がすことができる。このため、両面テープ１４を剥離するためにかご床板２上面を引っ掻いて傷をつけることがなく、このため、かご床板２上面を補修する必要がない。このため、かご室４０内において、一般のエレベータ点検作業者でもかご床板２上の既設の床タイル２２を新設の床タイル２２に貼り換えることができる。このことにより、短時間で、既設の床タイル２２を新設の床タイル２２に貼り換えることができ、エレベータを運転再開することができる。さらに、既設の床タイル２２を新設の床タイル２２に貼り換える作業を低コストで行うことができる。
【００４９】
第４の実施の形態
次に、図６（ａ）、（ｂ）により、本発明による床タイル取付構造の第４の実施の形態について説明する。ここで、図６（ａ）は、床タイル取付構造を示す図であり、図６（ｂ）は、図６（ａ）のＸ−Ｘ線に沿う一部切欠した断面図である。
【００５０】
図６（ａ）、（ｂ）に示す第４の実施の形態における床タイル取付構造４５において、軟質板９、挟み板１０の上側挟み板２０、および挟み板１０の下側挟み板２１を貫通するように剥離剤を注入する注入穴１８が設けられている点が異なるのみであり、他の構成は、図１乃至図３に示す第１の実施の形態と略同一である。なお、図６（ａ）、（ｂ）において、図１乃至図３に示す第１の実施の形態と同一部分には同一符号を付して詳細な説明は省略する。
【００５１】
図６（ｂ）に示すように、注入穴１８は、上側挟み板２０および軟質板９を貫通して下側挟み板２１内部下方まで直下し、下側挟み板２１内部下方にて軟質板９側へ曲折し、下側挟み板２１の側面２１ｃまで設けられている。なお、注入穴１８は、かご床板２と軟質板９との間に介在された両面テープ１４の貼り付け箇所に対応する位置に設けられている。
【００５２】
本実施の形態によれば、既設の床タイル２２を新設の床タイル２２に貼り換える場合、まず、図６（ａ）、（ｂ）に示すように、まず、エレベータ点検作業者が、挟み板１０の上側挟み板２０上面から注入穴１８に剥離剤を注入する。次に、注入された剥離剤は、図６（ｂ）に示すように、注入穴１８を通って下側挟み板２１側面２１ｂと軟質板９側面９ｃとの間における注入穴１８の終端付近に滲出する。次に、挟み板１０の下側挟み板２１側面２１ｂと軟質板９側面９ｃとの間に滲出した剥離剤は、毛管作用によりかご床板２上面と軟質板９下面との間に滲出する。その後、かご床板２と軟質板９との間に介在された両面テープ１４に剥離剤が浸透する。このことにより、かご床板２から既設の軟質板９および既設の床タイル２２を一体としてより一層容易に剥がすことができる。また、かご床板２上面に付着している両面テープ１４を、より一層容易に剥がすことができる。このため、両面テープ１４を剥離するためにかご床板２上面を引っ掻いて傷をつけることがなく、このため、かご床板２上面を補修する必要がない。このため、かご室４０内において、一般のエレベータ点検作業者でもかご床板２上の既設の床タイル２２を新設の床タイル２２に貼り換えることができる。このことにより、短時間で、既設の床タイル２２を新設の床タイル２２に貼り換えることができ、エレベータを運転再開することができる。さらに、既設の床タイル２２を新設の床タイル２２に貼り換える作業を低コストで行うことができる。
【００５３】
第５の実施の形態
次に、図７により、本発明による床タイル取付構造の第５の実施の形態について説明する。ここで、図７は、床タイル取付構造を示す図である。
【００５４】
図７に示す第５の実施の形態における床タイル取付構造４６において、上側挟み板２０と下側挟み板２１とを含む一対の挟み板１０が、軟質板９の他端部にも取り付けられている点が異なるのみであり、他の構成は、図１乃至図３に示す第１の実施の形態と略同一である。なお、図７において、図１乃至図３に示す第１の実施の形態と同一部分には同一符号を付して詳細な説明は省略する。
【００５５】
本実施の形態によれば、エレベータ点検作業者が、軟質板９両端の挟み板１０に各々取り付けられている取っ手１２を各々把持して上方へ引き上げる。このことにより、かご床板２から既設の軟質板９および既設の床タイル２２を一体としてより一層容易に剥がすことができる。このため、既設の床タイル２２を新設の床タイル２２により一層容易に貼り換えることができる。
【図面の簡単な説明】
【００５６】
【図１】図１は、本発明の第１の実施の形態における床タイル取付構造を示す斜視図。
【図２】図２は、本発明の第１の実施の形態におけるエレベータのかご室のかご床の全体構成を示す斜視図。
【図３】図３は、本発明の第１の実施の形態における床タイル取付構造をかご床から取り外す状態を示す斜視図。
【図４】図４は、本発明の第２の実施の形態における床タイル取付構造を示す斜視図。
【図５】図５は、本発明の第３の実施の形態における床タイル取付構造を示す斜視図。
【図６】図６（ａ）は、本発明の第４の実施の形態における床タイル取付構造を示す斜視図、図６（ｂ）は、図６（ａ）のＸ−Ｘ線に沿う一部切欠した断面図。
【図７】図７は、本発明の第５の実施の形態における床タイル取付構造を示す斜視図。
【図８】図８は、従来のかご床構造を示す斜視図。
【符号の説明】
【００５７】
１      かご床枠
２      かご床板
３      床タイル
４      接着剤
５      幅木
６      ネジ
７      側板
７ａ    差込口
８      ネジ
９      軟質板
９ａ    溝
９ｂ    突起
９ｃ    側面
１０    挟み板
１１    ネジ
１２    取っ手
１２ａ  ネジ穴
１３    ネジ
１４    両面テープ
１５    カバー
１６    発熱線
１７    外部操作装置
１８    注入口
２０    上側挟み板
２０ａ  溝
２０ｂ  ネジ穴
２１    下側挟み板
２１ａ  突起
２１ｂ  側面
２２    取っ手
３０    かご室
３１    かご床
４０    かご室
４１    かご床
４２    床タイル取付構造
４３    床タイル取付構造
４４    床タイル取付構造
４５    床タイル取付構造
４６    床タイル取付構造
【図１】
2009040578.tif 000003
【図２】
2009040578.tif 000004
【図３】
2009040578.tif 000005
【図４】
2009040578.tif 000006
【図５】
2009040578.tif 000007
【図６】
2009040578.tif 000008
【図７】
2009040578.tif 000009
【図８】
2009040578.tif 000010